【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
通過する空気の除湿を行うための除湿ユニットを有する除湿装置であって、
前記除湿ユニットを、除湿対象の空気を通過させて除湿し、露点を所定の範囲内とするための除湿区域と、温度調節された空気を通過させることで該除湿ユニットの除湿能力を再生させるための再生区域と、通過する空気によって該除湿ユニットの放熱を行うためのパージ区域と、に区分けするための区分手段と、
前記除湿ユニットを、前記除湿区域、前記再生区域、前記パージ区域に対して順に繰り返し割り当てる、区域変更手段と、
前記除湿対象の空気の温度と前記除湿区域を通過することで除湿された空気の温度とを取得する温度取得手段と、
予め準備された、前記除湿対象空気の温度および前記除湿された空気の温度と前記除湿対象の空気の湿度との対応関係に基づいて、前記温度取得手段によって取得された前記温度に対応する、前記除湿対象の空気の推定湿度を取得する推定湿度取得手段と、
予め準備された、前記除湿された空気の露点が前記所定の範囲内のまま前記除湿ユニットの再生に要する熱量が最小となる運転条件である好適運転条件と、前記除湿対象の空気の湿度と、の関係を示す好適運転条件情報に基づいて、前記推定湿度取得手段によって取得された前記推定湿度に対応する前記好適運転条件を取得する好適運転条件取得手段と、
を備え、前記好適運転条件に従って制御される、除湿装置。
【請求項２】
前記除湿ユニットは、設定された単位時間当たり回転数で回転することで前記除湿区域、前記再生区域、前記パージ区域の順に繰り返し割り当てられる除湿ロータであり、
前記好適運転条件取得手段は、該除湿装置における、前記除湿された空気の露点が前記所定の範囲内のまま前記除湿ロータの再生に要する熱量が最小となる好適ロータ回転数と、前記除湿対象の空気の湿度と、の関係を示す前記好適運転条件情報に基づいて、前記推定湿度に対応する前記好適ロータ回転数を取得し、
前記区域変更手段は、取得された前記好適ロータ回転数に従って前記除湿ロータを回転させることで、前記除湿ロータを、前記除湿区域、前記再生区域、前記パージ区域の順に繰り返し割り当てる、
請求項１に記載の除湿装置。
【請求項３】
前記パージ区域に導入される空気の風量であるパージ風量は、前記ロータ回転数に比例して変化するように制御される、
請求項２に記載の除湿装置。
【請求項４】
前記好適運転条件取得手段は、予め準備された、前記好適運転条件と前記除湿対象の空気の湿度と前記除湿区域に導入される空気の風量である除湿風量との関係を示す好適運転条件情報に基づいて、前記推定湿度取得手段によって取得された前記推定湿度および前記除湿風量に対応する前記好適運転条件を取得する、
請求項１から３の何れか一項に記載の除湿装置。
【請求項５】
前記除湿区域に導入される前の空気と該除湿区域を通過した後の空気との差圧を取得する差圧取得手段と、
予め準備された、前記差圧と前記除湿風量との対応関係に基づいて、前記差圧取得手段によって取得された前記差圧に対応する、前記除湿区域に導入される空気の推定除湿風量を取得する推定風量取得手段と、を更に備え、
前記好適運転条件取得手段は、前記推定湿度取得手段によって取得された前記推定湿度および前記推定風量取得手段によって取得された前記推定除湿風量に対応する前記好適運転条件を取得する、
請求項４に記載の除湿装置。
【請求項６】
前記再生区域に導入される空気は、設定された再生温度となるように、再生ヒータによって温度調節され、
前記好適運転条件取得手段は、該除湿装置における、前記除湿された空気の露点が前記所定の範囲内のまま前記除湿ユニットの再生に要する熱量が最小となる好適再生温度と、前記除湿対象の空気の湿度と、の関係を示す前記好適運転条件情報に基づいて、前記推定湿度に対応する前記好適再生温度を取得し、
前記再生ヒータは、前記再生区域に導入される空気を、該空気の温度が前記好適再生温度となるように温度調節する、
請求項１から５の何れか一項に記載の除湿装置。
【請求項７】
前記温度取得手段は、前記除湿対象の空気の温度と、前記除湿された空気のうち前記再生区域寄りの除湿区域において除湿された空気の温度と、を取得する、
請求項１から６の何れか一項に記載の除湿装置。
【請求項８】
通過する空気の除湿を行うための除湿ロータを、除湿対象の空気を通過させて除湿し、露点を所定の範囲内とするための除湿区域と、温度調節された再生空気を通過させることで該除湿ロータの除湿能力を再生させるための再生区域と、通過する空気によって該除湿ロータの放熱を行うためのパージ区域と、に区分けするための区分手段と、前記除湿ロータを、設定された単位時間当たり回転数で回転することで前記除湿区域、前記再生区域、前記パージ区域に対して順に繰り返し割り当てる、区域変更手段と、を備える除湿装置において、
前記除湿対象の空気の温度と前記除湿区域を通過することで除湿された空気の温度とを取得する温度取得ステップと、
予め準備された、前記除湿対象空気の温度および前記除湿された空気の温度と前記除湿対象の空気の湿度との対応関係に基づいて、前記温度取得ステップで取得された前記温度に対応する、前記除湿対象の空気の推定湿度を取得する推定湿度取得ステップと、
予め準備された、前記除湿された空気の露点が前記所定の範囲内のまま前記除湿ロータの再生に要する熱量が最小となる運転条件である好適運転条件と、前記除湿対象の空気の湿度と、の関係を示す好適運転条件情報に基づいて、前記推定湿度取得ステップで取得された前記推定湿度に対応する前記好適運転条件を取得する好適運転条件取得ステップと、
前記好適運転条件に従って、前記除湿装置における除湿ロータの回転数および前記再生空気の温度の少なくとも何れかを制御する制御ステップと、
を実行する、除湿装置の制御方法。
【手続補正２】
【補正対象書類名】明細書
【補正対象項目名】００１５
【補正方法】変更
【補正の内容】
【００１５】
また、本発明において、前記パージ区域に導入される空気の風量であるパージ風量は、前記ロータ回転数に比例して変化するように制御されてもよい。
【手続補正３】
【補正対象書類名】明細書
【補正対象項目名】００２１
【補正方法】変更
【補正の内容】
【００２１】
また、本発明に係る除湿装置は、前記パージ区域に導入される前の空気と該パージ区域を通過した後の空気との差圧を取得する差圧取得手段と、予め準備された、前記差圧と前記パージ風量との対応関係に基づいて、前記差圧取得手段によって取得された前記差圧に対応する、前記パージ区域に導入される空気の推定パージ風量を取得する推定風量取得手段と、を更に備え、前記推定パージ風量が前記ロータ回転数に比例して変化するように制御されることとしてもよい。
【手続補正４】
【補正対象書類名】図面
【補正対象項目名】図６
【補正方法】変更
【補正の内容】
【図６】
2010247041.tif 000001
【手続補正５】
【補正対象書類名】図面
【補正対象項目名】図７
【補正方法】変更
【補正の内容】
【図７】
2010247041.tif 000002
【手続補正６】
【補正対象書類名】図面
【補正対象項目名】図１０Ｂ
【補正方法】変更
【補正の内容】
【図１０Ｂ】
2010247041.tif 000003